(57)【要約】【課題】各医用情報端末の操作者の判断に基づいた画像処理の優先度の管理を行う医用情報管理装置を提供する。【解決手段】特定の医用情報端末から要求された画像処理の実行に対する高い優先度の設定の要求の入力を受け付ける優先度変更受付部１０２と、画像処理の要求をすでに受け付けている他の医用情報端末に高い優先度設定の可否を問い合わせる可否問合せ部１０３と、他の医用情報端末から優先度の変更が可であるとの入力を受けたとき、特定の医用情報端末から要求された画像処理の実行の優先度を、優先度の変更を可とした医用情報端末からの要求に基づく画像処理の実行の優先度より高くさせる優先度管理部１０４と、を備える。【選択図】図１
2010157184.tif 000002
【特許請求の範囲】
【請求項１】
医用画像を加工処理する画像処理部を有し、複数の医用情報端末からの要求を受けてそれぞれの前記要求に基づいた画像処理を前記画像処理部に実行させる医用画像処理装置であって、
特定の前記医用情報端末から要求された前記画像処理の実行に対する高い優先度の設定の要求の入力を受け付ける優先度変更受付手段と、
前記画像処理の要求をすでに受け付けている他の医用情報端末に、前記高い優先度設定の可否を問い合わせる可否問合せ手段と、
前記他の医用情報端末から前記優先度の変更が可であるとの入力を受けたとき、前記特定の医用情報端末から要求された前記画像処理の実行の優先度を、優先度の変更を可とした前記医用情報端末からの要求に基づく画像処理の実行の優先度より高くさせる優先度管理手段と、
を備えることを特徴とする医用画像処理装置。
【請求項２】
前記画像処理部は、
単位時間当たり一定量の処理を行い、該単位時間より長い所定の期間を受け付けた処理数に区分し、かつ優先度の高い画像処理は長い区分期間に割り当て、優先度の低い画像処理は短い区分期間に割り当てて、該所定時間を周期として繰り返し処理を実行する構成とされており、
前記優先度管理手段は、
前記優先度の変更を可とした前記医用情報端末の画像処理の実行に対し、前記画像処理の所定時間あたり処理できる量のうち予め決められた下限の割合を割り当て、前記所定時間あたり処理できる量の残りの割合を前記特定の医用情報端末の要求に基づく画像処理の実行及び前記優先度の変更を不可とした前記医用情報端末の要求に基づく画像処理の実行に割り当てる、
ことを特徴とする請求項１に記載の医用画像処理装置。
【請求項３】
前記画像処理部は、
単位時間当たり一定量の処理を行い、該単位時間より長い所定の期間を受け付けた処理数に区分し、かつ優先度の高い画像処理は長い区分期間に割り当て、優先度の低い画像処理は短い区分期間に割り当てて、該所定時間を周期として繰り返し処理を実行する構成とされており、
前記優先度管理手段は、
前記特定の医用情報端末の要求に基づく画像処理の実行及び前記優先度の変更を不可とした前記医用情報端末の要求に基づく画像処理の実行に前記画像処理の所定時間あたり処理できる量のうち予め決められた上限の割合を割り当て、前記所定時間あたり処理できる量の残りの割合を前記優先度の変更を可とした前記医用情報端末の画像処理の実行に割り当てる、
ことを特徴とする請求項１に記載の医用画像処理装置。
【請求項４】
前記選択画面表示制御手段は、
前記優先度変更の可否を問うと共に、前記特定の医用情報端末からの要求に基づく、少なくとも処理内容を含む詳細情報を送信することによって前記他の医用情報端末に表示させる、
ことを特徴とする請求項１乃至請求項３のいずれか一つに記載の医用画像処理装置。
【請求項５】
優先度の高さを決定するためのレベルを予め記憶しており、該優先度の高さのレベルを前記特定の医用情報端末に選択可能に表示させるレベル選択表示制御手段をさらに備え、
前記特定の医用情報端末からは、前記優先度の高さのレベルのうちいずれかの高さのレベルが選択され、
前記可否問合せ手段は、前記選択されたレベルに該当する高さの優先度への優先度設定の可否を問い合わせ、
前記優先度管理手段は、選択された高さのレベルに基づいて優先度を高くする、
ことを特徴とする請求項１乃至請求項４のいずれか一つに記載の医用画像処理装置。
【請求項６】
複数の医用情報端末からの要求を受けてそれぞれの前記要求に基づいた医用画像を加工する画像処理を実行する医用画像処理装置の制御方法であって、
特定の前記医用情報端末から要求された前記画像処理の実行に対する高い優先度の設定の要求の入力を受け付ける優先度変更受付段階と、
前記画像処理の要求をすでに受け付けている他の医用情報端末に、前記高い優先度設定の可否を問い合わせる可否問合せ段階と、
前記他の医用情報端末から前記優先度の変更が可であるとの入力を受けたとき、前記特定の医用情報端末から要求された前記画像処理の実行の優先度を、優先度の変更を可とした前記医用情報端末からの要求に基づく画像処理の実行の優先度より高くさせる優先度管理段階と、
を有することを特徴とする医用画像処理装置制御方法。
【発明の詳細な説明】
【技術分野】
【０００１】
本発明は、医用情報システムで使用される医用画像へのデータ処理をサーバで集中して行う環境下における画像処理の管理を行う医用画像処理装置及び該医用画像処理装置の制御方法に関する。さらに詳しくは、サーバで行われる医用画像の画像処理の優先度の制御を行う医用画像処理装置及びその制御方法に関する。
【背景技術】
【０００２】
近年、超音波診断装置、Ｘ線ＣＴ装置、ＭＲＩ（Ｍａｇｎｅｔｉｃ Ｒｅｓｏｎａｎｃｅ Ｉｍａｇｉｎｇ）装置、或いは、ＣＲ（Ｃｏｍｐｕｔｅｄ Ｒａｄｉｏｇｒａｐｈｙ）装置などの画像診断装置が広く普及している。これら画像診断装置は被検体の撮像を行い、医用画像（診断画像）を生成する装置である。一方、ＤＩＣＯＭ（Ｄｉｇｉｔａｌ Ｉｍａｇｉｎｇ ａｎｄ Ｃｏｍｍｕｎｉｃａｔｉｏｎ ｉｎ Ｍｅｄｉｃｉｎｅ）規格により医用データの通信における標準化が整備されてきている。そして、全ての画像診断装置がこの規格を採用することにより、画像管理サーバ或いは画像表示装置及び画像形成装置との接続が容易となった。また、ネットワークコンピュータ技術の向上及び低価格化が進むとともに、電子保存に対する法的整備もなされた。これらの背景のもと、医用画像を管理、ファイリングするＰＡＣＳ（Ｐｉｃｔｕｒｅ Ａｒｃｈｉｖｉｎｇ ａｎｄ Ｃｏｍｍｕｎｉｃａｔｉｏｎ Ｓｙｓｔｅｍ）の導入が増加している。そして、このような環境において、放射線部門内で利用されていた医用画像は、院内、他施設への転送・利用へと拡大している。
【０００３】
そして、医用画像の利用が拡大するに従い、実際に画像を表示するためのワークステーションなどの医用情報端末（クライアント）の導入数が増大する傾向にある。このため、医用情報端末の一台当たりの価格を抑える必要が出てきた。また、各医用情報端末が独自に重要な情報を保管しているなどの場合には、その医用情報端末の使用におけるセキュリティの問題が発生する。そして、多数の医用情報端末を使用する場合、そのようなセキュリティの問題はより深刻になる。そこで近年、医用画像のデータを一元管理するとともに、医用画像データに対する演算処理などのデータ処理を医用画像処理装置（以下では、「サーバ」ということがある。）側で行い、医用情報端末側ではデータ処理は行わないデータ処理集中型のシステムであるシンクライアント（Ｔｈｉｎ  Ｃｌｉｅｎｔ）システム（「シンクライアント環境のシステム」ともいう。）が導入されてきている。一般にこのシンクライアント環境では医用情報端末は高い処理能力が要求されず、価格を抑えられるとともに、セキュリティの強化をすることが可能になるとされている。
【０００４】
そして、上述のシンクライアント環境下では医用情報端末からの要求に従い、サーバ側でその要求に対応する医用画像の処理のプロセスを実行する必要がある。このプロセス処理の要求は各医用情報端末から入力されるものであり、各プロセスは通常は同じ優先度で処理されることになる。しかし、医療においては緊急患者の対応などといった緊急に処理を行う必要が発生し、そのためのプロセスは優先的に処理していく必要がある。
【０００５】
従来、特定のプロセスを優先的に処理する技術が提案されている。この技術としては、例えば、対話形式と判定されたプロセスに優先的にＣＰＵ時間を割り当てる技術（例えば、特許文献１参照。）や、予めデータベースに保存されたプロセスの優先度情報を基に、プロセスの優先度を変更する技術（例えば、特許文献２参照。）や、Ｗｉｎｄｏｗの面積を基にプロセスの優先度を割り振る技術（例えば、特許文献３参照。）などといったものがある。
【先行技術文献】
【特許文献】
【０００６】
【特許文献１】特開平８−６９３８６号公報
【特許文献２】特開２００８−４０６２０号公報
【特許文献３】特開平２−２４７７３７号公報
【発明の概要】
【発明が解決しようとする課題】
【０００７】
しかし、医用情報システムにおいては、患者の状態により使用するアプリケーション、執刀医、緊急度などといった条件が異なるため、プロセスの優先度設定の判断を機械的に行うのは困難である。そのため、特許文献１、特許文献２、及び特許文献３の技術では機械的に優先度の判断を行っているため、前述した各条件を考慮したプロセス処理の優先度の決定を行うことは困難である。
【０００８】
この発明は、このような事情に鑑みてなされたもので、各医用情報端末（クライアント）の操作者の判断に基づいた画像処理の優先度の管理を行う医用情報管理装置を提供することを目的としている。
【課題を解決するための手段】
【０００９】
上記目的を達成するために、請求項１に記載の医用画像処理装置は、医用画像を加工処理する画像処理部を有し、複数の医用情報端末からの要求を受けてそれぞれの前記要求に基づいた画像処理を前記画像処理部に実行させる医用画像処理装置であって、特定の前記医用情報端末から要求された前記画像処理の実行に対する高い優先度の設定の要求の入力を受け付ける優先度変更受付手段と、前記画像処理の要求をすでに受け付けている他の医用情報端末に、前記高い優先度設定の可否を問い合わせる可否問合せ手段と、前記他の医用情報端末から前記優先度の変更が可であるとの入力を受けたとき、前記特定の医用情報端末から要求された前記画像処理の実行の優先度を、優先度の変更を可とした前記医用情報端末からの要求に基づく画像処理の実行の優先度より高くさせる優先度管理手段と、を備えることを特徴とするものである。
【００１０】
請求項６に記載の医用画像処理装置制御方法は、複数の医用情報端末からの要求を受けてそれぞれの前記要求に基づいた医用画像を加工する画像処理を実行する医用画像処理装置の制御方法であって、特定の前記医用情報端末から要求された前記画像処理の実行に対する高い優先度の設定の要求の入力を受け付ける優先度変更受付段階と、前記画像処理の要求をすでに受け付けている他の医用情報端末に、前記高い優先度設定の可否を問い合わせる可否問合せ段階と、前記他の医用情報端末から前記優先度の変更が可であるとの入力を受けたとき、前記特定の医用情報端末から要求された前記画像処理の実行の優先度を、優先度の変更を可とした前記医用情報端末からの要求に基づく画像処理の実行の優先度より高くさせる優先度管理段階と、を有することを特徴とするものである。
【発明の効果】
【００１１】
請求項１に記載の医用画像処理装置及び請求項６に記載の医用画像処理装置制御方法によると、画像処理の優先度の情報の要求を受けたときに、他の画像処理を行わせている操作者による優先度の上昇への許可不許可の応答を基に要求を受けた画像処理の優先度を上昇させることができる構成である。これにより、緊急を要する画像処理を実行したい場合に、他に行われている処理との関係において、医師による緊急性の判断を反映した優先度の高さの管理を行うことが可能となる。
【図面の簡単な説明】
【００１２】
【図１】本発明に係る医用画像処理装置のブロック図
【図２】高い優先度を設定することの可否を問うための入力画面の一例の図
【図３】本実施形態に係る医用画像処理装置による優先度の高さの設定及びその優先度に基づく画像処理のフローチャートの図
【図４】第２の実施形態に係る医療処置の詳細情報の一例の図
【図５】第３の実施形態に係る優先度を高くする要求を行うための入力画面の一例の図
【図６】複数の画像処理に異なる優先度が既に割り当てられている状態の医用処理の詳細情報の一例を表す図
【発明を実施するための形態】
【００１３】
〔第１の実施形態〕
以下、この発明の第１の実施形態に係る医用画像処理装置について説明する。図１は本発明に係る医用画像処理装置の機能を表すブロック図である。図１に示すように本実施形態に係る医用画像処理装置が配置されたシステムには医用情報端末は複数台存在しているが、以下の説明では、各医用情報端末を区別しない場合には単に「医用情報端末２００」という。
【００１４】
まず、本実施形態に係る医用画像処理装置１００が配置された医用情報システムの全体の構成を説明する。本実施形態に係る医用画像処理装置１００は、図１に示すように、ネットワークを介して複数の医用情報端末２００と情報の送受信が可能に接続されている。
【００１５】
医用情報端末２００は、ＣＰＵやメモリなどを有する情報端末（いわゆるクライアント）である。そして、医用情報端末２００は、各病室などに配置される。その病室で、医師などの操作者（以下では、単に「操作者」という。）は、超音波診断装置、Ｘ線ＣＴ装置、又はＭＲＩ装置などの各種モダリティを使用して被検体の撮像などを行う。そして、操作者は、医用情報端末２００を使用して、各種モダリティで生成した撮像データに対する画像処理の要求を医用画像処理装置１００に送る。ここで、画像処理とは例えば、撮像データを基にして３Ｄ画像を再構成するといった処理である。本実施形態では、説明の都合上、医用情報端末２００はネットワーク上に３台配置されているが、この台数に特に制限はない。
【００１６】
医用画像処理装置１００には、画像処理の要求と共に、撮像データも送られる。医用画像処理装置１００は、後述する画像処理部１０１で受信した撮像データを基に要求に対応した画像処理を行う。医用画像処理装置１００は、ＣＰＵやメモリなど有し、医用情報端末２００（クライアント）の要求に対し応答を返すいわゆるサーバである。本発明でではこの様に、医用情報端末２００（クライアント）からの要求に対応した画像処理をサーバで集中して行うシステムを「シンクライアントシステム（シンクライアント環境のシステム）」という。以下の説明では、医用画像処理装置１００は、医用情報端末２０２及び医用情報端末２０３からすでに画像処理の要求を受けている状態として説明する。
【００１７】
次に、医用情報端末２００の構成の詳細を説明する。本実施形態では、医用情報端末２００は、画像処理部１０１、優先度変更受付部１０２、可否問合せ部１０３、及び優先度管理部１０４を備える。点線で表わされるレベル選択表示制御部１０５は、第３の実施形態で説明する。
【００１８】
医用情報端末２０１は、画像処理部１０１に対し画像処理の要求を行うとともに、撮像データを送信する。さらに、医用情報端末２０１は、要求した画像処理に対し高い優先度を設定する要求を優先度変更受付部１０２へ出力する。
【００１９】
この高い優先度の設定の要求の方法を具体的に説明する。医用情報端末２０１には、あらかじめ画像処理の要求の入力画面のフォーマットが記憶されている。この入力画面のフォーマットには、画像処理の要求を入力する項目とともに、要求した画像処理に対し高い優先度を設定するための項目が設定されている。この項目には優先度として「高」又は「通常」を選択可能になっている。すなわち、本実施形態では、画像処理を実行する優先度の高さとしては、「高い優先度」及び「通常の優先度」という２つが存在する。
【００２０】
医用情報端末２０１は、操作者に対し該フォーマットに基づく入力画面を表示する。そして、操作者は、医用情報端末２０１が表示する入力画面を使用して、画像処理の要求を入力する。このとき、入力する画像処理の実行の優先度を高くしたい場合には、操作者は、入力画面に配置されている画像処理の優先度を高くする要求の入力する項目で「高」を選択する。この優先度として「高」を選択することが本発明における「画像処理の実行に対する高い優先度の設定の要求」にあたる。また、本実施形態では、画像処理の要求の入力画面のフォーマットを医用情報端末２０１が記憶しているが、これは医用画像処理装置１００が記憶しておき、医用情報端末２０１からの要求に応じて該入力画面を医用情報端末に送信し表示させる構成でもよい。
【００２１】
画像処理部１０１は、ＣＰＵ及びメモリやハードディスクなどの記憶領域を有している。画像処理部１０１は、自己の記憶領域の中に医用情報端末２００からの要求に対応して医用画像の加工処理を行うためのプログラムを記憶している。このプログラムは、例えば受信した画像データを基にＭＲＩの画像データから３Ｄ画像を再構成したり、ＣＴ画像データから血管抽出などを行ったりするプログラムである。画像処理部１０１は、医用情報端末２００から撮像データとともに画像処理の要求の入力を受ける。画像処理部１０１は、所定時間当たりに処理できる画像処理の処理量（以下では、「処理能力」ということがある。）が決まっている。そして、画像処理部１０１は、複数の画像処理の要求を受けた場合には、所定時間当たりの処理量（処理能力）を受けた要求の数に分割し、その分割した割合で各画像処理を実行する。この処理能力の分割した割合が本発明における「区分期間」にあたる。
【００２２】
さらに、画像処理部１０１は、後述する優先度管理部１０４から各医用情報端末２００からの要求に対応するそれぞれの画像処理の優先度の高さの入力（実際には、所定時間当たりの各画像処理に割り当てられる処理量の割合）を受ける。この処理量の割合とは前述したように所定時間あたりに処理できる処理量を分割した割合のことをいう。すなわち、区分期間が長いとは割り当てられた処理量の割合が多いことをいい、区分期間が長いとは割り当てられた処理量の割合が少ないことをいう。
【００２３】
ここで、処理能力の割合について詳細に説明する。本実施形態において、画像処理部１０１は各要求に対応するそれぞれの画像処理を実行するにあたり、各画像処理を複数のプロセスに分割して処理していく。ここで、プロセスとは画像処理の中に含まれている各種処理を指し、このプロセスをすべて実行することで画像処理が完了する。そして、所定時間当たりにこなす全体のプロセス数に対してどの程度のプロセス数に当たるかが処理能力の割合に当たる。ここで、時間が長く割り当てればより多くのプロセス数をこなせるため、どの程度のプロセス数をこなすかとは、言い換えれば所定時間のうちのどの程度の区分期間を割り当てるかにあたることになる。例えば、４つの画像処理を行う場合、４つの画像処理の何れも同じ優先度の高さで処理する場合には、各画像処理に処理能力の２５％の割合が割り当てられる。つまり、各画像処理を分割したプロセスが単位時間当たりに等しい回数で処理されていく（通常は各画像処理のプロセスが順番で処理される）ことになる。また、高い優先度が設定された画像処理は後述するように処理量の割合が多く割り当てられ、画像処理部１０１は、高い優先度が設定された画像処理には処理量の割合を多くして処理を実行することになる。ただし、医用画像処理装置１００がプロセスの並列処理を行う場合には、処理能力の割合とはその並列処理の中における割合になる。このプロセスが並列処理されるとは、例えば、複数のプロセスを同時に実行できるようなＣＰＵ構成の場合であり、その場合には、一度に実行されるプロセスのうちの全体における割合が処理の雨量区の割合となる。
【００２４】
そして、画像処理部１０１は、入力された優先度の高さ（処理量の割合）に基づいて、それぞれの画像処理を行う。この画像処理では、画像処理部１０１は、自己が記憶している医用画像の加工処理を行うためのプログラムの中から要求された処理内容及び医用画像の種類などに対応するプログラムを選択し、選択したプログラムを用いて要求に対応する画像処理を実行する。また、画像処理部１０１は優先度管理部１０４からの優先度の高さの入力を受けていない場合には、各医用情報端末２００からの要求に対応するすべての画像処理に対し同じ優先度（つまり等分に割り当てられた処理量で）で処理を行う。
【００２５】
優先度変更受付部１０２は、医用情報端末２００から入力された画像処理の実行に対し高い優先度を設定する要求を受信する。このとき、優先度変更受付部１０２は、優先度を高く設定する要求が行われた画像処理の識別情報も取得する。優先度変更受付部１０２は、画像処理の実行に高い優先度を設定する要求を受信したことを可否問合せ部１０３へ出力する。それとともに、優先度変更受付部１０２は、高い優先度を設定する要求が行われた画像処理の識別情報を優先度管理部１０４へ出力する。この優先度変更受付部１０２が本発明における「優先度変更受付手段」にあたる。
【００２６】
可否問合せ部１０３は、優先度変更受付部１０２から画像処理の実行に高い優先度を設定する要求の受信の通知を取得する。そして、可否問合せ部１０３は、優先度管理部１０４からすでに画像処理の要求を受け付けている医用情報端末２０２及び医用情報端末２０３のコンピュータ名やネットワークアドレスなどの識別情報を取得し記憶する。この可否問合せ部１０３が本発明における「可否問合せ手段」にあたる。
【００２７】
可否問合せ部１０３は、メモリなどの記憶領域を有している。そして、可否問合せ部１０３は、自己の記憶領域に医用情報端末２００へ表示させる高い優先度を設定することの可否を問うための入力画面のフォーマットを記憶している。可否問合せ部１０３は、取得した識別情報を基に医用情報端末２０２及び医用情報端末２０３へ、記憶しているフォーマットによる優先度の可否を問うための入力画面を送信し表示させる。医用情報端末２０２及び医用情報端末２０３では可否問合せ部１０３から送られてきた入力画面を自己の表示部（不図示）へ表示する。操作者は、入力画面を参照し、優先度を高く設定することへの許可／不許可の応答を入力する。入力された許可／不許可の情報は優先度管理部１０４へ出力される。この優先度を高く設定することへの許可の通知が、本発明における「前記優先度の変更が可であるとの入力」にあたる。
【００２８】
ここで、図２は高い優先度を設定することの可否を問うための入力画面の一例の図である。具体的には、可否問合せ部１０３は、図２のウィンドウ３００のフォーマットを記憶している。ここで、入力画面とは、表示部の全画面を使用する画面でもよいし、画面の一部としてのウィンドウでもよい。そして、優先度を高くする要求の通知を受けると、ウィンドウ３００を医用情報端末２０２及び医用情報端末２０３の表示部に表示させる。操作者は、表示されたウィンドウ３００を参照し、優先度を高く設定することを許可する場合には、ウィンドウ３００のＯＫボタンをクリックし、不許可（許可しない）の場合にはウィンドウ３００のＮＧボタンをクリックする。この操作者の操作により、医用情報端末２０２又は医用情報端末２０３から許可又は不許可の情報が出力される。
【００２９】
優先度管理部１０４は、ＣＰＵ及びメモリやハードディスクなどの記憶領域で構成されている。優先度管理部１０４は、既に画像処理の要求を受け付けている医用情報端末２０２及び医用情報端末２０３の識別情報を画像処理部１０１から取得する。そして、優先度管理部１０４は、既に画像処理の要求を受け付けている医用情報端末２０２及び医用情報端末２０３の識別情報を記憶している。また本実施形態に係る優先度管理部１０４は、画像処理部１０１において最低限の画像処理が行える所定時間当たりの画像処理の処理量（処理能力）の割合を予め記憶している。本実施形態では、優先度管理部１０４はこの割合を５％として記憶している。この最低減画像処理が可能な所定時間あたりの画像処理の処理量の割合が本発明における「下限の割合」にあたる。
【００３０】
優先度管理部１０４は、可否問合せ部１０３から既に画像処理の要求を受け付けている医用情報端末２００の識別情報の出力要求を受けて、医用情報端末２０２及び医用情報端末２０３の識別情報を可否問合せ部１０３へ出力する。
【００３１】
優先度管理部１０４は、医用情報端末２０２及び医用情報端末２０３から医用情報端末２０１から要求された画像処理の実行に高い優先度を設定することへの許可／不許可の通知を取得する。そして、優先度管理部１０４は、取得した医用情報端末２０２及び医用情報端末２０３からの許可／不許可の通知を基に、医用情報端末２０１から要求された画像処理の実行の優先度を設定する。そこで、以下において、医用情報端末２０２及び医用情報端末２０３から「いずれからも許可の通知が送られてきた場合」「一方から許可の通知、他方から不許可の通知が送られてきた場合」「いずれからも不許可の通知が送られてきた場合」について場合分けをして優先度の高さの設定方法を説明する。以下では、処理能力の割合の割り当てについて説明するが、この処理能力の割合の割り当てにより各画像処理の処理速度が決まる、すなわち各画像処理の優先度の変更にあたる、そこで、この処理能力の割合の割り当てが本発明における「前記特定の医用情報端末から要求された前記画像処理の実行の優先度を、優先度の変更を可とした前記医用情報端末からの要求に基づく画像処理の実行の優先度より高くさせる」にあたる。
【００３２】
（いずれからも許可の通知が送られてきた場合）
優先度管理部１０４は、医用情報端末２０２及び医用情報端末２０３の要求に対応する画像処理の実行にそれぞれ処理能力の５％を割り当てることを決定する。そして、優先度管理部１０４は、処理能力の残り９０％を医用情報端末２０１の要求に対応する画像処理の実行に割り当てることを決定する。そして、優先度管理部１０４は、決定した各医用情報端末２０１〜２０３の要求に対応するそれぞれの画像処理の実行に割り当てた処理能力の割合を画像処理部１０１へ出力する。
【００３３】
（一方から許可の通知、他方から不許可の通知を受けた場合）
以下では、医用情報端末２０２から許可の通知、医用情報端末２０３から不許可の通知を受けた場合で説明する。ただし、逆に医用情報端末２０３から許可の通知を受けた場合でも同様である。優先度管理部１０４は、医用情報端末２０２の要求に対応する画像処理の実行に処理能力の５％を割り当てることを決定する。次に、優先度管理部１０４は、医用情報端末２０１から要求された画像処理を通常の優先度の高さで処理した場合の処理能力の割合を、医用情報端末２０３の要求に対応する画像処理の実行に割り当てる。すなわち、通常の優先度で処理した場合、１００％の処理能力を３等分するため１台あたり３３％の処理能力が割り当てられるので、優先度管理部１０４は、医用情報端末２０３の要求した画像処理の実行に処理能力の３３％が割り当てることを決定する。さらに、優先度管理部１０４は、処理能力の残り６２％を医用情報端末２０１の要求に対応する画像処理の実行に割り当てることを決定する。そして、優先度管理部１０４は、決定した各医用情報端末２０１〜２０３の要求に対応するそれぞれの画像処理の実行に割り当てた処理能力の割合を画像処理部１０１へ出力する。ここで、本実施形態では、医用情報端末２０１の要求に対応する画像処理の実行に通常の優先度を割り当てた場合の優先度を、不許可の通知をした医用情報端末２０３に割り当てているが、この割り当て方法は他の方法でもよく、例えば、許可の通知を行った医用情報端末２０２に処理能力の下限の値を割り当てた残りの処理能力の割合を医用情報端末２０１及び医用情報端末２０３で等分するような構成でもよい。
【００３４】
（一方から許可の通知、他方から不許可の通知を受けた場合）
優先度管理部１０４は、医用情報端末２０１、医用情報端末２０２、及び医用情報端末２０３のそれぞれの要求に対応する画像処理の実行に処理能力を等分に割り当てることを決定する。すなわち、優先度管理部１０４は、医用情報端末２０１、医用情報端末２０１、及び医用情報端末２０２のそれぞれ要求に対応する各画像処理の実行に処理能力の３３．３％を割り当てることを決定する。そして、優先度管理部１０４は、決定した各医用情報端末２０１〜２０３の要求に対応するそれぞれの画像処理の実行に割り当てた処理能力の割合を画像処理部１０１へ出力する。
【００３５】
次に、図３を参照して、本実施形態に係る医用画像処理装置による優先度の高さの設定及びその優先度に基づく画像処理について説明する。ここで図３は、本実施形態に係る医用画像処理装置による優先度の高さの設定及びその優先度に基づく画像処理のフローチャートの図である。
【００３６】
ステップＳ００１：画像処理部１０１は、医用情報端末２０１から画像処理の要求を受ける。
【００３７】
ステップＳ００２：優先度変更受付部１０２は、医用情報端末２０１からの要求に対応する画像処理の実行に高い優先度を設定する要求を受けたか否かを判断する。高い優先度を設定する要求を受けている場合、ステップＳ００３へ進む。高い優先度を設定する要求を受けていない場合、ステップＳ０１０へ進む。
【００３８】
ステップＳ００３：優先度変更受付部１０２は、可否問合せ部１０３へ優先度を高くする要求の通知を送信する。
【００３９】
ステップＳ００４：可否問合せ部１０３は、優先度管理部１０４に記憶されているすでに要求を受け付けている医用情報端末２００の識別情報を参照し、既に画像処理の要求を受け付けている他の医用情報端末２００があるか否かを判断する。既に画像処理の要求を受け付けている他の医用情報端末２００がある場合には、ステップＳ００５へ進む。未だ画像処理の要求を受け付けている他の医用情報端末２００がない場合には、ステップＳ００８へ進む。
【００４０】
ステップＳ００５：可否問合せ部１０３は、高い優先度を設定する可否を問うための入力画面のフォーマットを基に、既に画像処理の要求を受け付けている医用情報端末２００に、優先度を高くする可否を問うための入力画面を送信し表示させる。
【００４１】
ステップＳ００６：高い優先度を設定する可否を問うための入力画面が表示された医用情報端末２００の操作者は許可／不許可の入力を行う。優先度管理部１０４は、医用情報端末２００から高い優先度を設定することへの許可／不許可の情報の入力を受ける。
【００４２】
ステップＳ００７：優先度管理部１０４は、入力された許可／不許可を基に、高い優先度を設定することを許可した医用情報端末２００が有るか否かを判断する。許可した医用情報端末２００がある場合には、ステップＳ００８へ進む。許可した医用情報端末２００がない場合には、ステップＳ０１０へ進む。
【００４３】
ステップＳ００８：優先度管理部１０４は、許可した医用情報端末２００に処理能力の最低限の割合の割り当てを決定する。そして、優先度管理部１０４は、不許可の通知を行った医用情報端末２００に、高い優先度の設定を要求した医用情報端末２００の要求する画像処理に通常の優先度を割り当てた場合の処理能力の割合の割り当てを決定する。さらに、優先度管理部１０４は、優先度を高くする要求をした医用情報端末２００、処理能力の残りの割合の割り当てを決定する。優先度管理部１０４は、決定した各医用情報端末２００からの要求に対応するそれぞれの画像処理の実行への処理能力の割り当てを画像処理部１０１へ出力する。
【００４４】
ステップＳ００９：画像処理部１０１は、入力された処理能力の割り当てを基に、各医用情報端末２００から要求されたそれぞれの画像処理を実行する。
【００４５】
ステップＳ０１０：画像処理部１０１は、通常の優先度で各医用情報端末２００から要求されたそれぞれの画像処理を実行する。
【００４６】
以上で説明したように、本実施形態にかかる医用画像処理装置は、特定の医用情報端末から高い優先度を設定する要求を受けて、画像処理の要求をすでに受付けている他の医用情報端末の許可を求め、許可があった場合にその許可をした医用情報端末からの要求による画像処理よりも特定の医用情報端末から要求された画像処理の実行の優先度を高くする構成である。これにより、緊急の医療処置における画像処理などのために優先度を高く設定する要求が行われた場合に、医師による許可／不許可の判断が行われ、医師による緊急性の判断に基づいて優先度の管理を行うことが可能となる。
【００４７】
（変形例）
次に、本実施形態に係る医用画像処理装置の変形例について説明する。この変形例に係る医用画像処理装置は先に説明した医用画像処理装置と、優先度の高さの決定、すなわち処理能力の割り当ての決定方法が異なるものである。そこで、以下では、処理能力の決定方法について説明する。この変形例に係る医用画像処理装置では、優先度管理部による処理能力の決定以外の部分は先に説明した医用画像処理装置と同一の機能部を有するものである。すなわち、本変形例に係る医用画像処理装置の機能を洗わずブロック図も図１で表わされる。
【００４８】
以下の説明では、優先度管理部１０４は、既に高い優先度を設定することへの許可／不許可の通知を、各医用情報端末２００から受け取っているものとする。
【００４９】
優先度管理部１０４は、高い優先度を設定するときの処理能力の割合を予め記憶している。この割合は、処理能力を割りあてる場合にこれ以上の割り当てを行うと他の画像処理が実質行えなくなるという上限の値である。この高い優先度を設定するときの処理能力の割合が本発明における「上限の割合」にあたる。本変形例ではこの割合を３０％と記憶している。ただし、この上限の割合の値に特に制限はなく、稼働している画像処理システムの運用状況に合わせて設定することが望ましい。そして、優先度管理部１０４は、高い優先度を設定する要求を行った医用情報端末２００からの要求に対応する画像処理を実行に対し処理能力の３０％を割り当てる。そして、優先度管理部１０４は、不許可の通知を行った医用情報端末２００の画像処理の実行に、各医用情報端末２００からの要求による画像処理を同じ優先度で実行した場合の処理能力の割合を割り当てる。そして、優先度管理部１０４は、処理能力の残りの割合を許可の通知を行った医用情報端末２００で等分し、その処理能力の割合を許可の通知を行った各医用情報端末２００の要求に対応する画像処理に割り当てる。
【００５０】
以上のように、本変形例では、高い優先度を設定する要求があった画像処理に対し、予め記憶している高い優先度を設定したときの処理能力の割合を割り当てる構成である。これにより、優先度が高くされた画像処理は、他の医用情報端末による許可があった場合に、必ず一定の処理能力の割合で処理が実行されることが確約され、優先度が高くされた画像処理を常に一定の処理スピードで実効することが可能となる。
【００５１】
また、本変形例の構成では、許可を通知した医用情報端末から要求された画像処理の処理スピードが非常に遅くなるおそれがある。そこで、優先度を高くする可否を問い合わせるときに、許可した場合の大まかな処理能力の割合の目安を通知する構成でもよい。この大まかな目安とはたとえば、全体の処理能力の割合から予め記憶している割合を引いて、他の医用情報端末の数で割った値（すなわち、他の医用情報端末すべてが許可したときの値）や、全体の処理能力の割合から予め記憶している割合を引いた後に、１台を除く他の医用情報端末に通常の処理能力の割合を割り当てた場合の値（すなわち、他の医用情報端末のうち１台のみが許可した場合の値）などが好ましい。この様に、あらかじめ処理能力の低下の程度を判断材料として他の医用情報端末に表示させることで、想定した以上の処理能力の低下をある程度避けることが可能となる。
【００５２】
また、以上の説明では、１台の医用情報端末が高い優先度を要求し他の医用情報端末は通常の優先度で処理を要求している状態で説明したが、これは他の医用情報端末が高い優先度を要求している場合でも同様に優先度の管理が行われる。たとえば、既に高い優先度で処理が行われている場合には、優先度が通常であり許可の通知を行った医用情報端末が要求している画像処理に対する処理能力の割合を決定し、残りの処理能力の割合を既に高い優先度で実行している画像処理と今回高い優先度が要求された画像処理とを合わせて等分して処理能力の割合を決定するなどにより、各画像処理に対する処理能力の割合が決定できる。
【００５３】
〔第２の実施形態〕
以下、この発明の第２の実施形態に係る医用画像処理装置について説明する。本実施形態に係る医用画像処理装置は、高い優先度を設定することの可否を問うときに、同時に高い優先度を設定する要求を行っている医師が行っている医療処置の詳細情報を提供する構成であることが第１の実施形態と異なるものである。そこで以下では、医療処置の情報の提供を主に説明する。本実施形態に係る医用画像処理装置のブロック図も図１で表わされる。以下の説明では、第１の実施形態と同一の符号を付された機能部は特に説明のない限り同じ機能を有するものとする。図３は本実施形態に係る医用画像処理装置による可否問合せの画面の一例の図である。
【００５４】
優先度変更受付部１０２は、医用情報端末２０１から高い優先度を設定する要求を受けるとともに、該要求に対応する医療処置の詳細情報の入力を受ける。この医療処置の詳細情報の入力は、医療処置の詳細情報に対する入力がないと高い優先度を設定する要求を入力することができない構成にしてもよい、また、優先度を高くする要求を受けた場合に、優先度変更受付部１０２がその画像処理の画像データの識別情報を基にＨＩＳ（Ｈｏｓｐｉｔａｌ  Ｉｎｆｏｒｍａｉｌｎ  Ｓｙｓｔｅｍ）に問い合わせて、該画像データに対応する医療処置の詳細情報の入力を受ける構成でもよい。優先度変更受付部１０２は、優先度を高くする要求の通知及び該要求に対応する医療処置の詳細情報を可否問合せ部１０３へ出力する。
【００５５】
可否問合せ部１０３は、高い優先度を設定することの可否を問い合わせるための入力画面のフォーマット及び医療処置の詳細情報の表示フォーマットを記憶している。この医療処置の詳細情報の表示フォーマットは図４に示す一覧を表示するフォーマットである。図４は本実施形態に係る医療処置の詳細情報の一例の図である。図４に示すように本実施形態では、医療処置の詳細情報として、「場所４０１」：処置を行っている場所、「登録者４０２」：処置を行っている医師の識別情報、「処理内容４０３」：要求された画像処理の処理内容（どのような装置を使用して撮像された画像データか、どの部位の画像データか、どのような画像処理を行うのかなどを含む。）、「完了予定時間４０４」：要求された画像処理を完了するまでにどのくらいの時間がかかるか、といった情報が表示される。ここで、詳細情報として本実施形態では、場所４０１、登録者４０２、処理内容４０３、及び完了予定時間４０４、の４種類を使用しているが、この種類に特に制限はなく他の情報を追加してもよい。
【００５６】
可否問合せ部１０３は、優先度変更受付部１０２から高い優先度を設定する要求の通知及び医療処置の詳細情報の入力を受ける。場所４０１、登録者４０２、処理内容４０３は、医療処置の詳細情報の中に含まれている。そして、可否問合せ部１０３は、完了予定時間４０４として処理内容４０３を基に完了までにかかるおおよその時間を求める。本実施形態では、可否問合せ部１０３は、処理内容４０３に対応する必要な処理時間のテーブルを記憶しておりそのテーブルを参照して完了予定時間４０４を求めることができる。そして、可否問合せ部１０３は、場所４０１、登録者４０２、処理内容４０３、及び完了予定時間４０４を記憶しているフォーマットに挿入し医療処置の詳細情報のデータを作成する。
【００５７】
可否問合せ部１０３は、高い優先度を設定することの可否を問い合わせるための入力画面を既に画像処理の要求を受け付けている医用情報端末２００へ送信するとともに、医療処置の詳細情報のデータを医用情報端末２００へ送信し、それらを既に画像処理の要求を受け付けている医用情報端末２００の表示部に表示させる。
【００５８】
高い優先度を設定することの可否の問い合わせがあった医用情報端末２００の操作者は、表示された医療処置の詳細情報を参照して、優先度を高くする要求を行っている医療処置の緊急度や重要度を判断し、許可／不許可の通知を入力する。
【００５９】
以上で説明したように、本実施形態に係る医用画像処理装置は、優先度を高くする要求に対応する医療処置の詳細情報を、高い優先度を設定することの可否を問い合わせるための入力画面と共に医用情報端末に表示させる構成である。これにより、高い優先度を設定すること可否の問い合わせを受けた医用情報端末の操作者は、優先度を高くする要求に対応する医療処置の詳細な情報を取得することができ、より正確な情報に基づいて優先度を高くすることへの許可／不許可を決定することが可能となる。
【００６０】
〔第３の実施形態〕
以下、この発明の第３の実施形態に係る医用画像処理装置について説明する。本実施形態に係る医用画像処理装置は、優先度を高くする設定（高い優先度の設定）にいくつかのレベルを設けたことが第１及び第２の実施形態と異なるものである。そこで以下では、複数のレベルを有する優先度の高さの設定について説明する。本実施形態に係る医用画像処理装置のブロック図も図１で表わされる。本実施形態に係る医用画像処理装置は、点線で表わされるレベル選択表示制御部１０５を有している。以下の説明では、第１の実施形態と同一の符号を付された機能部は特に説明のない限り同じ機能を有するものとする。図５は、本実施形態に係る優先度を高くする要求を行うための入力画面の一例の図である。
【００６１】
レベル選択表示制御部１０５は、優先度の高さのレベルを選択可能な入力フォーマットを予め記憶している。本実施形態では、優先度の高さのレベルとして「通常以上」及び「高」の２つのレベルを有する。ここでは、「高」の方が「通常以上」よりも優先度が高いレベルであるとする。すなわち、本実施形態では、レベル選択表示制御部１０５は、図５に示すウィンドウ５００を表示するような入力フォーマットを記憶している。このレベル選択表示制御部１０５が、本発明における「レベル表示制御手段」にあたる。
【００６２】
レベル選択表示制御部１０５は、医用情報端末２０１からの優先度を高くする要求の入力を受信する。そして、レベル選択表示制御部１０５は、自己が記憶している入力フォーマットを基に入力画面であるウィンドウ５００を医用情報端末２０１へ送信し、医用情報端末２０１にウィンドウ５００を表示させる。ウィンドウ５００のように、本実施形態での優先度を高くする要求の入力画面では、優先度の高さのレベルとして、「通常以上」又は「高」を選ぶことができる。ここで、ウィンドウ５００には、「通常」というレベルも選ぶことが可能になっているが、「通常」を選んだ場合には優先度を高くする要求をキャンセルしたことと同じとして扱う。操作者は、優先度の高さのレベルを選択し、ウィンドウ５００のＯＫボタンをマウスなどでクリックすることで、優先度の高さを高くする要求を優先度の高さのレベルと共に入力する。そして、医用情報端末２０１は、優先度の高さを高くする要求及び優先度の高さのレベルを優先度変更受付部１０２へ出力する。
【００６３】
優先度変更受付部１０２は、医用情報端末２０１から高い優先度を設定する要求及び優先度の高さのレベルの入力を受ける。優先度変更受付部１０２は、入力された高い優先度を設定する要求の通知及び優先度の高さのレベルを可否問合せ部１０３へ出力する。優先度変更受付部１０２は、高い優先度を設定する要求があった画像処理の識別情報及び優先度の高さのレベルを優先度管理部１０４へ出力する。
【００６４】
本実施形態における可否問合せ部１０３は、選択された優先度の高さのレベルを記載可能な入力画面のフォーマットを記憶している。可否問合せ部１０３は、高い優先度を設定する要求の通知を受けて、入力された優先度の高さのレベルを基に高い優先度を設定することの可否を問い合わせるための入力画面を生成する。そして、可否問合せ部１０３は、生成した高い優先度を設定することの可否を問い合わせる入力画面を医用情報端末２０２及び医用情報端末２０３へ送信し、医用情報端末２０２及び医用情報端末２０３の表示部に該入力画面を表示させる。医用情報端末２０２及び医用情報端末２０３の操作者は、表示部に表示された入力画面を参照し、表示されている要求された優先度のレベルを基に、高い優先度を設定することの可否を判断する。そして、操作者は、表示されている入力画面を使用して優先度を高くすることの許可／不許可の通知を入力する。医用情報端末２０２及び医用情報端末２０３は、操作者から入力された許可／不許可の通知を優先度管理部１０４へ出力する。
【００６５】
優先度管理部１０４は、優先度変更受付部１０２から高い優先度を設定する要求があった画像処理の識別情報及び選択された優先度の高さのレベルの入力を受ける。また、優先度管理部１０４は、医用情報端末２０２及び医用情報端末２０３から許可／不許可の通知の入力を受ける。
【００６６】
優先度管理部１０４は、選択された優先度の高さのレベルに対応した処理能力の下限の割合を記憶している。本実施形態では、「通常以上」の優先度の高さのレベルに対応する下限の割合を１０％、「高」の優先度の高さのレベルに対応する下限の割合を５％として記憶している。
【００６７】
優先度管理部１０４は、選択された優先度の高さのレベルに対応する処理能力の下限の割合を、医用情報端末２０２及び医用情報端末２０３のうち高い優先度を設定する許可を通知した端末に割り当てることを決定する。そして、優先度管理部１０４は、医用情報端末２０２及び医用情報端末２０３のうち高い優先度を設定高い優先度を設定することへの不許可を通知したものに、医用情報端末２０１からの要求に基づく画像処理の実行を通常の優先度で算出した場合の処理能力の割合を割り当てることを決定する。そして、優先度管理部１０４は、残りの優先度の割合を医用情報端末２０１に割り当てることを決定する。
【００６８】
優先度管理部１０４は、決定した各医用情報端末２００からの要求に対応する画像処理の実行に使用する処理能力の割合を画像処理部１０１へ出力する。
【００６９】
ここで、本実施形態では、処理能力の下限の割合を使用して各医用情報端末２００に割り当てる処理能力の割合を決定したが、これは他の方法でもよく、例えば、第１の実施形態の変形例のように上限の割合を用いてもよい。
【００７０】
画像処理部１０１は、優先度管理部１０４から入力された各画像処理の実行に使用する処理能力の割合を基に、各画像処理を実行し処理していく。
【００７１】
ここで、以上の説明では、第１の実施形態を基に説明したが、第２の実施形態のように、入力画面とともに医用処理の詳細を表示させる構成でもよい。
【００７２】
また、既に複数の画像処理に対し高い優先度もしくは通常以上の優先度が割り当てられている場合には、図６で示されるウィンドウ６００の様にそれらの割り当てられている優先度の情報６０１も医用処理の詳細情報に合わせて表示してもよい。これにより、どの程度の処理に対し高い優先度が設定されているかが把握でき、医師はより適切な許可／不許可の判断を行うことができる。ここで、図６は複数の画像処理に異なる優先度が既に割り当てられている状態の医用処理の詳細情報の一例を表す図である。
【００７３】
以上で説明したように、本実施形態に係る医用画像処理装置は、高い優先度を設定する要求を行う際に、優先度の高さのレベルを選択することができ、その優先度のレベルに合わせて、医用画像処理の実行の優先度を変更する構成である。これにより、高い優先度を設定しようとする操作者は、画像処理の緊急性に応じて優先度の高さのレベルを選択することができ、他の画像処理の実行におけるパフォーマンスの低下を調整することが可能となり、全体的な画像処理の実行をバランスよく行うことが可能となる。
【符号の説明】
【００７４】
１００  医用画像処理装置
１０１  画像処理部
１０２  優先度変更受付部
１０３  可否問合せ部
１０４  優先度管理部
１０５  レベル選択表示制御部
２００，２０１，２０２，２０３  医用情報端末
【図１】
2010157184.tif 000003
【図３】
2010157184.tif 000004
【図４】
2010157184.tif 000005
【図２】
2010157184.tif 000006
【図５】
2010157184.tif 000007
【図６】
2010157184.tif 000008